(57)【要約】  【課題】  運動性を損なうことなく、寒冷時での保温性を高めることのできる作業用ユニフォームの上衣を提供する。  【解決手段】  作業用ユニフォームの後身頃(２)の内側部分にライナ(３)を取り外し可能な状態に装着した着脱可能なライナ付作業用ユニフォーム上衣であって、後身頃(２)での襟ぐり及び肩と脇での縫合線部分に適当間隔隔ててに紐体で形成したループボタンホール(６)を位置させるとともに、このループボタンホール(６)の形成個所と対応するライナ(３)の周縁部分に係合用のボタン(５)を縫着した。【選択図】    図２
2006002307.tif 000002
【特許請求の範囲】
【請求項１】
後身頃の内側部分にライナを取り外し可能な状態に装着した着脱可能なライナ付作業用ユニフォーム上衣であって、後身頃(２)での襟ぐりと肩及び脇での縫合線部分に適当間隔おきに紐体で形成したループボタンホール(６)を位置させるとともに、このループボタンホール(６)の形成個所と対応するライナ(３)の周縁部分にボタン(５)を縫着したことを特徴とする着脱可能なライナ付作業用ユニフォーム上衣。
【請求項２】
ライナ(３)が保温性素材を内装した綿入れ状である請求項１に記載した着脱可能なライナ付作業用ユニフォーム上衣。
【請求項３】
ライナ(３)の身体接触側の表面をアルミ加工クロスで形成した請求項１又は２に記載の着脱可能なライナ付作業用ユニフォーム上衣。
【発明の詳細な説明】
【技術分野】
【０００１】
本発明は作業用ユニフォームの上衣に関し、特に、上衣の内面に防寒用ライナを着脱可能に装着できる作業用ユニフォームの上衣に関する。
【背景技術】
【０００２】
従来から、コート類の内面に防寒用の裏地(ライナ)を着脱可能に取り付けることはよく知られている。例えば、上着の身頃布の内側にライナをスライドファスナーにより取り外し可能に取り付けたもの(特許文献１)や、背中部を編地で形成したレジャー用ベストの背中表面に保温用表生地をスライドファスナーにより取り外し可能に取り付けたもの(特許文献２)が提案されている。
【０００３】
【特許文献１】特開平１１−２８６８１３号公報
【特許文献２】特開２００１−１３１８１０号公報
【発明の開示】
【発明が解決しようとする課題】
【０００４】
ところが、従来のものは、ライナあるいは背中地をスライドファスナーで装着するようにしていることから、上着側にスライドファスナーの一方が常時配置されることになる。このため、ライナを取り外した場合にもスライドファスナーの一方は残っていることになる。
ところで、作業用のユニフォームでは、その着用時に種々の作業姿勢をとる関係上運動性を阻害するような芯材の存在は避けたいのであるが、従来の取り外し可能なライナの考え方を作業用ユニフォームに適用した場合には、ライナの有無にかかわらずスライドファスナーが存在することから、身頃部分に芯材が存在することになって、動きにくくなるという問題がある。
【０００５】
本発明はこのような点に鑑み提案されたもので、運動性を損なうことなく、寒冷時での保温性を高めることのできる作業用ユニフォームの上衣を提供することを目的とする。
【課題を解決するための手段】
【０００６】
上述の目的を達成するために本発明は、後身頃の内側部分にライナを取り外し可能な状態に装着した衣料であって、後身頃での襟ぐりと肩及び脇での縫合線部分に適当間隔置きに紐体で形成したループボタンホールを位置させるとともに、このループボタンホール形成個所と対応するライナの周縁部分にボタンを縫着したことを特徴としている。
【発明の効果】
【０００７】
本発明では、作業用ユニフォームの後身頃での内側部分の襟ぐりと肩及び脇での縫合線部分に紐体で形成したループボタンホールを適当間隔おきに位置させるとともに、ライナ周縁部におけるこのループボタンホール形成個所と対応する個所にボタンを縫着してあるので、ライナを取り付けた状態では、寒気を感じやすい背中部分での保温性を高めるものでありながら、前身頃や袖部分にライナがないことから、腕の曲げ伸ばしやの上げ下ろしなどの運動時に作業着の厚みに伴うゴワ付を感じることなく、高い作業性を維持することが出来る。
【０００８】
また、ライナを取りはずした状態では、作業着本体側には、紐体で形成したループボタンホールが適当間隔おきに配置しているだけで、スライドファスナやボタン等の硬いものは存在していないから、着用時での違和感がないうえ、運動性も確保することができる。
【発明を実施するための最良の形態】
【０００９】
図は本発明の一実施形態を示し、図１は作業用上衣の正面図、図２はライナ部分を取り外した状態での概略斜視図である。
図中符号(１)は、綿布や化学繊維、あるいは合成繊維など公知の布帛で形成されている作業用ユニフォームの上衣である。この上衣(１)の後身頃(２)の内面にライナ(３)が着脱可能な状態で取り付けてある。
【００１０】
このライナ(３)は、表裏２枚の布地で後身頃部分の幅と丈に対応する大きさの袋体(４)を形成し、この袋体(４)の内部に中綿等の保温性を有する芯材をシート状にして挿入し、表裏の布地を丈方向で適当間隔隔てて幅方向に縫合することで綿入れキルティング状に形成してある。
【００１１】
また、このライナ(３)は、上衣(１)に装着した際に人体側となる面を表面として、この表面側の布地をアルミ加工クロスで構成してある。また、ライナ(３)の裏面側での周縁部に係合用のボタン(５)が所定間隔隔てて取り付けてある。
【００１２】
一方、ライナ(３)を取り付ける上衣(１)では、後身頃(２)での襟ぐり線部分、前身頃との肩及び脇での縫合線部分、後身頃の裾線部分にそれぞれ紐材で形成したループボタンホール(６)を前記ライナ(３)に装着した係合用ボタン(５)に対応させて配置してある。
【００１３】
このように構成した着脱可能なライナ付きの作業衣では、寒冷期には、ライナ(３)を上衣(１)の後身頃(２)での内面部分に装着することで、最も寒気を感じる背中(背筋)部分をライナ(３)で覆うことにより、防寒性をを有する作業衣とすることができる。しかも、本発明では、人体側に位置するライナ(３)の表面をアルミ加工クロスで構成してあることから、体温がこの表面生地で反射されることになってより保温性を高めることができる。
【００１４】
また、ライナ(３)を装着した状態では、前身頃部分や袖部分の内側にはライナは位置しないことになるから、作業時の腕の動きに追随して変化する前身頃部分や袖部分の生地厚みは薄い状態を維持することになるから、高い作業性を維持しておくことができる。
【００１５】
さらに、上記実施形態では、上衣(１)には紐材で形成したループボタンホール(６)だけが配置されているから、ライナ(３)を取り外した状態でライナ(３)の係合具であるボタン(５)は取り外したライナ(３)に付着している。このためライナ(３)を取り外した状態で上衣(１)を着用しても、硬い突起物となるボタンがない分異物感を生じることはない。
【産業上の利用可能性】
【００１６】
本発明は、四季を通じて運動追随性を求められる衣料の寒冷期での防寒対策として使用することができる。
【図面の簡単な説明】
【００１７】
【図１】作業用上衣の正面図である。
【図２】ライナ部分を取り外した状態での概略斜視図である。
【符号の説明】
【００１８】
１…上衣、２…後身頃、３…ライナ、５…係合用のボタン、６…ループボタンホール。
【図１】
2006002307.tif 000003
【図２】
2006002307.tif 000004